(57)【要約】【課題】フラットな外観で強度の高い断熱パネルを提供する。【解決手段】二枚の金属外皮１、２の間に無機材料で形成される芯材３を充填して成る断熱パネルに関する。金属外皮１、２の間に補強材４を装着する。補強材４を金属外皮１の表面に突出しない状態で設けて断熱パネルの補強をすることができる。【選択図】図１
2010138662.tif 000002
【特許請求の範囲】
【請求項１】
二枚の金属外皮の間に無機材料で形成される芯材を充填して成る断熱パネルにおいて、金属外皮の間に補強材を装着して成ることを特徴とする断熱パネル。
【請求項２】
補強材とその補強材に対向する金属外皮とに間隙を設けて成ることを特徴とする請求項１に記載の断熱パネル。
【請求項３】
補強材が断面略Ｕ字状であることを特徴とする請求項１又は２に記載の断熱パネル。
【発明の詳細な説明】
【技術分野】
【０００１】
本発明は、外壁材、屋根材、天井材、間仕切り材などとして使用される断熱パネルに関するものである。
【背景技術】
【０００２】
従来より、二枚の金属外皮の間に芯材を充填することにより断熱パネルを製造することが行われている。このような断熱性を有するサンドイッチパネルは、パネル全体の強度を向上させるために、表面側の金属外皮を断面凹凸形状に形成するようにしている（例えば、特許文献１、２参照）。
【特許文献１】特開平１０−１９６００９号公報
【特許文献２】特開平１１−２９３８５９号公報
【発明の開示】
【発明が解決しようとする課題】
【０００３】
しかし、上記の従来例では断熱パネルの表面が凹凸に形成されるために、壁面や天井面等をフラットな外観にすることができないという問題があった。
【０００４】
本発明は上記の点に鑑みてなされたものであり、フラットな外観で強度の高い断熱パネルを提供することを目的とするものである。
【課題を解決するための手段】
【０００５】
本発明の請求項１に係る断熱パネルは、二枚の金属外皮１、２の間に無機材料で形成される芯材３を充填して成る断熱パネルにおいて、金属外皮１、２の間に補強材４を装着して成ることを特徴とするものである。
【０００６】
本発明の請求項２に係る断熱パネルは、請求項１において、補強材４とその補強材４に対向する金属外皮２とに間隙５を設けて成ることを特徴とするものである。
【０００７】
本発明の請求項３に係る断熱パネルは、請求項１又は２において、補強材４が断面略Ｕ字状であることを特徴とするものである。
【発明の効果】
【０００８】
請求項１の発明では、補強材４を金属外皮１の表面に突出しない状態で設けて断熱パネルの補強をすることができ、金属外皮１の表面のフラットな外観を損なわないようにして強度を高くすることができるものである。
【０００９】
請求項２の発明では、間隙５により金属外皮１と金属外皮２とが補強材４により接続されないようにすることができ、金属外皮１と金属外皮２とのヒートブリッジを防止することができるものである。
【００１０】
請求項３の発明では、一方の金属外皮１に補強材４を固定しながら他方の金属外皮２と補強材４の先端との間に間隙５を設けることができ、補強効果とヒートブリッジ防止の効果とを容易に得ることができるものである。
【発明を実施するための最良の形態】
【００１１】
以下、本発明を実施するための最良の形態を説明する。
【００１２】
本発明の断熱パネルは所謂サンドイッチパネルであって、図１、２に示すように、二枚の金属外皮１、２と芯材３及び補強材４を備えて形成されている。芯材３は金属外皮１、２の間に充填されていると共に補強材４は金属外皮１、２の間に装着されている。また、断熱パネルの一側端部には嵌合凸部２０が全長にわたって形成されていると共に断熱パネルの他側端部には嵌合凹部２１が全長にわたって設けられており、断熱パネルの嵌合凸部２０と他の断熱パネルの嵌合凹部２１とを互いに嵌合することによって、隣接する断熱パネルを接続することができるものである。嵌合凸部２０と嵌合凹部２１とは、図３に示すように、嵌合凸部２０の頂面と嵌合凹部２１の底面との間に防水用のパッキン１０を介在させた状態で嵌合することができる。また、嵌合凸部２１の表面に溝部１１を全長にわたって設け、この溝部１１の全長にわたってチューブ状のパッキン１２を設けて嵌合凸部２０と嵌合凹部２１の防水性を高めることができる。
【００１３】
金属外皮１、２は例えば厚み０．２７〜１．６ｍｍ程度の金属板をロール加工や折り曲げ加工するなどして形成することができる。この金属外皮１、２用の金属板としては、亜鉛めっき鋼板や塗装鋼板、ガルバリウム鋼板（登録商標）などを用いることができるが、これに限定されるものではない。
【００１４】
芯材３としては厚み２０〜１２０ｍｍ程度の断熱材を用いることができる。この断熱材としては、ロックウールやグラスウールなどの繊維状の無機材料をブロック状に固めて形成したものを用いることができる。
【００１５】
補強材４は例えば厚み０．３５〜３．２ｍｍ程度の金属板を折り曲げ加工することにより長尺部材として形成されている。また。補強材４はその長尺方向と直交する方向において断面略Ｕ字状に形成されており、図４に示すように、平板状の固定片４ａと、固定片４ａの両端に略垂直に突設した一対の補強片４ｂ、４ｂとから形成することができる。尚、補強材４は断面略Ｕ字状だけでなく、断面略Ｍ字状や断面略ハット型などの形状に形成することができる。
【００１６】
そして、本発明の断熱パネルを製造するにあたっては、以下のようにして行う。まず、図４に示すように、補強材４の補強片４ｂ、４ｂの間に芯材３を隙間なく充填する。ここで、補強片４ｂ、４ｂの間に充填した芯材３の厚みは補強片４ｂの高さ寸法よりもやや大きく形成されている。
【００１７】
次に、図５に示すように、一方の金属外皮２に補強材４を取り付ける。ここで、補強材４を取り付ける金属外皮は断熱パネルを施工した際に内装側（屋内側）に向く方の金属外皮２とすることができるが、断熱パネルを施工した際に外装側（屋外側）に向く方の金属外皮１に補強材４を取り付けるようにしてもよい。補強材４は金属外皮２に所定の間隔を介して複数本を互いに略平行になるように取り付けることができる。このとき、補強材４としては、その固定片４ａを金属外皮２の芯材３側となる面（断熱パネルの内面となる面であって、他方の金属外皮１の方に向く一方の面）に接着するものと、補強片４ｂ、４ｂの間に充填した芯材３の補強片４ｂの先端よりも突出した表面を金属外皮２の芯材３側の面に接着するものとがあり、それらを交互に並べて配置する。また、隣り合う補強材４、４の補強片４ｂ、４ｂの間及び金属外皮２の両側端部にはさらに別の芯材３を充填して金属外皮２の芯材３側となる面に接着する。この芯材３は補強片４ｂ、４ｂの間に充填したものと同等である。このようにして芯材３を充填した補強材４と別の芯材３とを交互に並べて側面同士を接触させながら金属外皮２の片面に並べて設けることができる。
【００１８】
次に、金属外皮２の片面に並べて設けた上記芯材３及び補強材４に他方の金属外皮１を接着して取り付ける。この場合、他方の金属外皮１の芯材３側となる面（断熱パネルの内面となる面であって、一方の金属外皮２の方に向く一方の面）に対して、補強材４の固定片４ａと、補強材４の補強片４ｂ、４ｂの間に充填した芯材３と、隣り合う補強材４、４の間に充填した芯材３とを接着する。このようにして一対の対向配置した金属外皮１、２の間に補強材４及び芯材３を介在させた断熱パネルを形成することができる。尚、予め、金属外皮１、２の側端部にロール成形等で所定の形状に加工を施しておき、金属外皮１、２の側端部同士を対向配置することにより嵌合凸部２０及び嵌合凹部２１を形成することができる。また、補強材４の長手方向は嵌合凸部２０及び嵌合凹部２１の長手方向と略平行にすることができるが、これに限らず、補強材４の長手方向は嵌合凸部２０及び嵌合凹部２１の長手方向と直交するようにしてもよい。また、補強材４は断熱パネルの全長にわたって設けることができる。
【００１９】
そして、本発明の断熱パネルは、補強材４を金属外皮１、２の芯材３側の面に設けるので、金属外皮１、２の外面（表面）に補強材４による凹凸が形成されないようにすることができ、しかも、補強材４により金属外皮１、２及び芯材３を補強することができ、フラットな外観で曲げ強度や座屈強度等の高い断熱パネルを得ることができる。従って、軽量気泡コンクリート（ＡＬＣ）や中空セメント板等の建材と同様に下地胴縁を必要とせず、支持間隔を大きくしながら建物の床−床間等に施工することができるものである。また、一方の金属外皮１又は２に固定片４ａを接着したい補強材４は、その先端が芯材３により他方の金属外皮２又は１と若干の間隙５を有することになるため、一方の金属外皮１と他方の金属外皮２とが補強材４により接続されないようにすることができ、金属外皮１と金属外皮２とのヒートブリッジを防止して断熱性を高くすることができるものである。
【００２０】
図６に他の実施の形態を示す。この断熱パネルでは、補強材４として上記の図１に示すものに比べて、補強片４ｂが短いものを使用する。従って、図７に示すように、補強片４ｂ、４ｂの間に芯材３を充填した場合に、芯材３の上側略半分が補強片４ｂの先端よりも突出することになる。また、上記の図１に示す断熱パネルでは所定の間隔を介して複数の補強材４、４…を並設し、隣り合う補強材４、４の間には芯材３を充填するようにしたが、この断熱パネルでは、間隔を介さずに、隣り合う補強材４、４を密着させて配置するものである。また、隣り合う補強材４、４は上下が逆になっている。すなわち、固定片４ａが一方の金属外皮１の内面に接着される補強材４と、固定片４ａが他方の金属外皮２の内面に接着される補強材４とが隣接して配置されている。従って、補強材４の補強片４ｂの外面は隣接する他の補強材４に充填した芯材３の側面に密着している。また、隣り合う補強材４、４の一方の補強片４ｂ、４ｂはその先端面同士が上下に対向して配置されるが、この先端面の間には若干の間隙５が設けられており、補強片４ｂ、４ｂが接触しないように形成されている。従って、一方の金属外皮１と他方の金属外皮２とが補強材４、４により接続されないようにすることができ、金属外皮１と金属外皮２とのヒートブリッジを防止して断熱性を高くすることができるものである。その他の構成は上記図１に示す断熱パネルと同様に形成することができる。
【図面の簡単な説明】
【００２１】
【図１】本発明の実施の形態の一例を示す断面図である。
【図２】同上の斜視図である。
【図３】同上の接続状態を示す断面図である。
【図４】同上の芯材を充填した補強材の一例を示す一部の斜視図である。
【図５】同上の製造途中を示す断面図である。
【図６】同上の他の実施の形態の一例を示す断面図である。
【図７】同上の芯材を充填した補強材の他例を示す一部の斜視図である。
【符号の説明】
【００２２】
１  金属外皮
２  金属外皮
３  芯材
４  補強材
５  間隙
【図１】
2010138662.tif 000003
【図２】
2010138662.tif 000004
【図３】
2010138662.tif 000005
【図４】
2010138662.tif 000006
【図５】
2010138662.tif 000007
【図６】
2010138662.tif 000008
【図７】
2010138662.tif 000009